(57)【要約】【課題】ドア本体の周囲における下端部の形状を調整した場合でも、ドアボトムと枠体との間に隙間が生じることを防ぐことにより音漏れや光漏れを防止することが可能となる、ドア構造を提供する。【解決手段】ドア構造の戸尻枠５には、ドア７の閉塞時において正面視でドア７の側端部と部分的に重なり合う戸当り部５２がドア７側に延出して形成され、戸当り部５２が形成された戸尻枠５の下端部における所定上下位置より下側には、水平断面視における一部である後側膨出部５３が除去された後側被除去領域Ｒ２が形成され、後側被除去領域Ｒ２における戸当り部５２の一部は、ドア７の閉塞時において正面視でドアボトム７７の端部と重なり合う。【選択図】図２
2020200710.tif 000002
【特許請求の範囲】
【請求項１】
所定間隔で立設される二本の枠体と、一方の前記枠体の側に回動中心が配置されて前記二本の枠体の間で開閉可能とされるドアと、を備えるドア構造であって、
前記ドアは、ドア本体と、前記ドア本体の下端部に沿って設けられ、ドア本体下端部と床面との隙間を塞ぐシール部材と、を備え、
前記枠体の少なくとも一つには、前記ドアの閉塞時において正面視で前記ドアの側端部と部分的に重なり合う戸当り部が前記ドア側に延出して形成され、
前記戸当り部が形成された前記枠体の下端部における所定上下位置より下側には、水平断面視における一部が除去された被除去領域が形成され、
前記被除去領域における前記戸当り部の一部は、前記ドアの閉塞時において正面視で前記シール部材の端部と重なり合う、ドア構造。
【請求項２】
前記枠体には前記ドアと隣接するパネル部材が固定され、
前記枠体は、前記パネル部材の裏面が当接する枠本体部と、前記ドアの閉塞時における表面と直交する方向に前記枠本体部から前記枠体の長手方向に沿って膨出する膨出部と、が形成され、
前記膨出部の膨出側端面は、前記パネル部材の表面と面一になるように形成され、
前記枠体は、前記被除去領域において前記膨出部が除去される、請求項１に記載のドア構造。
【請求項３】
前記パネル部材の下端部の上下位置は、前記所定上下位置と一致する、請求項２に記載のドア構造。
【請求項４】
前記枠体は、長手方向と直交する断面視において複数の中空形状を有する形材であって、前記被除去領域において少なくとも一つの前記中空形状が残存する、請求項１から請求項３の何れか１項に記載のドア構造。
【請求項５】
前記ドア本体の下端部の上下位置は、前記所定上下位置と一致する、請求項１から請求項４の何れか１項に記載のドア構造。
【請求項６】
前記枠体の少なくとも一つはポスト部材に固定され、前記ポスト部材はカバーで被覆され、前記カバーの下端部の上下位置は、前記所定上下位置と一致する、請求項１から請求項５の何れか１項に記載のドア構造。
【請求項７】
前記ドアがガラスドアであり、前記パネル部材がガラスパネルであり、前記ドアの下枠材の少なくとも外側の見付寸法と、前記パネル部材の下枠材の見付寸法とを一致させた、請求項６に記載のドア構造。
【発明の詳細な説明】
【技術分野】
【０００１】
本発明はドア構造に関し、詳細には枠体に対してドア本体を回動可能に取り付けたドア構造に関するものである。
【背景技術】
【０００２】
従来、支柱、パネル体、ドア等で構成された間仕切り構造において、本体を回動させる開き戸のドア構造が採用される場合がある（例えば、特許文献１を参照）。特許文献１には、複数の支柱の間に、間仕切りパネル、開き戸によるドア、及び、補助パネル板等を設けた間仕切り構造が記載されている。
【先行技術文献】
【特許文献】
【０００３】
【特許文献１】特開２０１２−１３２２９６号公報
【発明の概要】
【発明が解決しようとする課題】
【０００４】
上記特許文献の如く構成された間仕切り構造においては、ドア本体の周囲に設けられた枠体やパネル部材等における下端部の形状を調整することにより、意匠性を向上させることができる。しかし、上記の如く構成した場合、ドア本体の下方に設けられるドアボトムと枠体との間に隙間が生じ、音漏れや光漏れの原因となる可能性があった。
【０００５】
本発明は以上の如き状況に鑑みてなされたものであり、本発明が解決しようとする課題は、ドア本体の周囲における下端部の形状を調整した場合でも、ドアボトムと枠体との間に隙間が生じることを防ぐことにより音漏れや光漏れを防止することが可能となる、ドア構造を提供することである。
【課題を解決するための手段】
【０００６】
本発明は、上記課題を解決するために、以下に構成するドア構造を提供する。
【０００７】
（１）所定間隔で立設される二本の枠体と、一方の前記枠体の側に回動中心が配置されて前記二本の枠体の間で開閉可能とされるドアと、を備えるドア構造であって、前記ドアは、ドア本体と、前記ドア本体の下端部に沿って設けられ、ドア本体下端部と床面との隙間を塞ぐシール部材と、を備え、前記枠体の少なくとも一つには、前記ドアの閉塞時において正面視で前記ドアの側端部と部分的に重なり合う戸当り部が前記ドア側に延出して形成され、前記戸当り部が形成された前記枠体の下端部における所定上下位置より下側には、水平断面視における一部が除去された被除去領域が形成され、前記被除去領域における前記戸当り部の一部は、前記ドアの閉塞時において正面視で前記シール部材の端部と重なり合う、ドア構造。
【０００８】
（２）前記枠体には前記ドアと隣接するパネル部材が固定され、前記枠体は、前記パネル部材の裏面が当接する枠本体部と、前記ドアの閉塞時における表面と直交する方向に前記枠本体部から前記枠体の長手方向に沿って膨出する膨出部と、が形成され、前記膨出部の膨出側端面は、前記パネル部材の表面と面一になるように形成され、前記枠体は、前記被除去領域において前記膨出部が除去される、（１）に記載のドア構造。
【０００９】
（３）前記パネル部材の下端部の上下位置は、前記所定上下位置と一致する、（２）に記載のドア構造。
【００１０】
（４）前記枠体は、長手方向と直交する断面視において複数の中空形状を有する形材であって、前記被除去領域において少なくとも一つの前記中空形状が残存する、（１）から（３）の何れか一に記載のドア構造。
【００１１】
（５）前記ドア本体の下端部の上下位置は、前記所定上下位置と一致する、（１）から（４）の何れか一に記載のドア構造。
【００１２】
（６）前記枠体の少なくとも一つはポスト部材に固定され、前記ポスト部材はカバーで被覆され、前記カバーの下端部の上下位置は、前記所定上下位置と一致する、（１）から（５）の何れか一に記載のドア構造。
【００１３】
（７）前記ドアがガラスドアであり、前記パネル部材がガラスパネルであり、前記ドアの下枠材の少なくとも外側の見付寸法と、前記パネル部材の下枠材の見付寸法とを一致させた、（６）に記載のドア構造。
【発明の効果】
【００１４】
以上における本発明に係るドア構造は、以下に示す効果を奏する。
【００１５】
（１）の構成によれば、ドア本体の周囲における下端部の形状を調整した場合でも、戸当り部の一部がシール部材の端部と重なり合うため、シール部材と枠体との間に隙間が生じることを防ぐことにより音漏れや光漏れを防止することができる。
【００１６】
（２）の構成によれば、枠体の膨出部における下端部の形状を調整した場合でも、音漏れや光漏れを防止することができる。
【００１７】
（３）の構成によれば、パネル部材とドア本体との下端部の高さを統一することにより、意匠性を向上させることが可能となる。
【００１８】
（４）の構成によれば、被除去領域を形成しても、残存する中空形状を構成する壁により床との隙間を塞ぐことができる。
【００１９】
（５）の構成によれば、枠体の膨出部とドア本体との下端部の高さを統一することにより、意匠性を向上させることが可能となる。
【００２０】
（６）の構成によれば、ポスト部材のカバーとドア本体との下端部の高さを統一することにより、意匠性を向上させることが可能となる。
【００２１】
（７）の構成によれば、ガラスドアの下枠材の見付寸法と、ガラスパネルの下枠材の見付寸法とを一致させることにより、意匠性をさらに向上させることが可能となる。
【図面の簡単な説明】
【００２２】
【図１】第一実施形態に係るドア構造を示した正面図。
【図２】ドア構造の一部を示した拡大正面図。
【図３】図１中のＸ−Ｘ線断面図。
【図４】ドア本体及び枠体の下方斜視図。
【図５】（ａ）及び（ｂ）は枠体の切断部分を示した底面図及び下方斜視図。
【図６】比較例に係るドア構造のドア本体及び枠体の下方斜視図。
【図７】比較例に係るドア構造の一部を示した拡大正面図。
【図８】第二実施形態に係るドア構造を示した正面図。
【図９】ドア構造の一部を示した拡大正面図。
【発明を実施するための形態】
【００２３】
［第一実施形態］
以下では図１から図５を用いて、本発明の第一実施形態に係るドア構造について説明する。本実施形態に係るドア構造には、開き戸であるドア７が設けられる。図３から図５に示す矢印は、ドア構造の前後方向を示している。本実施形態に係るドア構造は、ドア７を前方（図１における紙面手前側）に回動させることにより開放可能に構成されている。
【００２４】
図１に示す如く、ドア構造は床面Ｆと天井Ｃとの間に設けられ、地レール１、天レール２、ポスト部材であるコーナーポスト３、戸尻枠４、戸先枠５、上枠６、ドア７等を備える。ドア構造を構成する各要素は、ドア７に備えられる板ガラス７５を除いて、スチール合金又はアルミ合金で形成されている。以下、各構成要素について順に説明する。
【００２５】
本実施形態に係るドア構造において、戸尻枠４、戸先枠５、上枠６、及び、ドア７は、コーナーポスト３、及び、パネル部材の一つである第二パネルＰ２の間に設けられる。コーナーポスト３及び第二パネルＰ２は床面Ｆに固定した地レール１と、天井Ｃに固定した天レール２と、の間に立設されている。本実施形態において、ドア７にはコーナーポスト３を介して第一パネルＰ１が連結される。また、第二パネルＰ２の隣にはガラスパネルＧが設けられる。
【００２６】
コーナーポスト３は、ドア７又はパネル部材（第一・第二パネルＰ１・Ｐ２及びガラスパネルＧ）に対して直交する方向に他のパネル部材を連結するためのポスト部材である。本実施形態においてコーナーポスト３の前面はカバーで被覆されている。
【００２７】
図１に示す如く、コーナーポスト３の左側面には戸尻枠４が固定される。また、第二パネルＰ２の右側面には戸先枠５が固定される。即ち、戸尻枠４及び戸先枠５は床面Ｆと天井Ｃとの間に所定間隔で立設されている。戸尻枠４及び戸先枠５は、本発明に係る枠体の一実施形態である。戸尻枠４及び戸先枠５の上端部には、互いを連結する上枠６が固定されている。なお、戸尻枠４と戸先枠５とは左右対称形状であり、その構成が共通している。このため、本明細書においては戸先枠５のみについて詳細に説明し、戸尻枠４については詳細な説明を省略する。
【００２８】
また、戸尻枠４及び／又は戸先枠５を、床面Ｆと天井Ｃとの間の一部に立設する構成とすることもできる。即ち、床面Ｆと天井Ｃとの間に支柱（図３に示す支柱９を参照）を立設し、この支柱に対して天井Ｃまでは到達しない戸尻枠４及び／又は戸先枠５を固定する構成とすることも可能である。この場合、戸尻枠４及び／又は戸先枠５の上側に欄間パネル等を設けることができる。
【００２９】
図１及び図３に示す如く、ドア７の隣には第二パネルＰ２が設けられる。具体的には図３に示す如く、戸先枠５と、戸先枠５から所定間隔で地レール１と天レール２との間に立設された支柱９と、における互いに対向する面に係止部材９ａ・９ａが固定される。そして、係止部材９ａ・９ａに対して、第二パネルＰ２の裏面に形成された被係止部Ｐａ・Ｐａ（より具体的には、被係止部Ｐａに形成された図示しない係止孔）を係止する。これにより、二枚の第二パネルＰ２・Ｐ２が戸先枠５及び支柱９に対して前後両面に固定される。換言すれば、戸先枠５にはドア７と隣接してパネル部材である第二パネルＰ２が固定される。
【００３０】
図３に示す如く、戸先枠５は平面断面視で三つの領域が形成されている。即ち、戸先枠５には、前後方向中央部に矩形状に形成された枠本体部５０と、枠本体部５０から前方に膨出する前側膨出部５１と、枠本体部５０から後方に膨出する後側膨出部５３と、が形成される。換言すれば、戸先枠５の前面には、ドア７の閉塞時における表面の直交する方向に前側膨出部５１が、戸先枠５の長手方向に沿って形成されている。また、戸先枠５の後面には後側膨出部５３が、戸先枠５の長手方向に沿って形成されている。また、戸先枠５の後部には、ドア７の閉塞時において正面視（図１及び図２に示す方向視）でドア７の側端部と部分的に重なり合う戸当り部５２がドア７の側（右側方）に延出して形成されている。
【００３１】
図３に示す如く、戸先枠５は長手方向と直交する断面視（平面断面視）において複数の閉じられた中空形状を有する形材である。詳細には、戸先枠５は前後方向に三分割されて、それぞれが閉じられた中空形状として形成される。そして、前後方向中央部の中空形状が枠本体部５０として、前側の中空形状が前側膨出部５１として、後側の中空形状が後側膨出部５３として形成されている。
【００３２】
図３に示す如く、支柱９は平面断面視で矩形状に形成されている。また、戸先枠５において係止部材９ａが固定される部分である枠本体部５０は平面断面視で矩形状に形成されている。そして、戸先枠５における枠本体部５０は、支柱９と同じ機能を有するように形成される。即ち、支柱９の前後幅と枠本体部５の前後幅とは同じ寸法で形成される。このため、支柱９において第二パネルＰ２の被係止部Ｐａが当接する面（前面又は後面）と、枠本体部５０において第二パネルＰ２の被係止部Ｐａが当接する面（前面又は後面）とは、同一面となるように形成される。
【００３３】
また、図３に示す如く、前側膨出部５１及び後側膨出部５３の前後幅は、第二パネルＰ２の前後幅と同じ寸法で形成されている。即ち、前側膨出部５１及び後側膨出部５３は、それぞれの前面及び後面（膨出側端面）が隣接するパネル部材の表面と面一になるように、枠本体部５０から膨出して形成されている。
【００３４】
なお、ドア７に隣接するパネル部材として、スチール製のパネルである第二パネルＰ２ではなく、ガラスパネルＧを採用することも可能である。本実施形態において、ガラスパネルＧは枠体とガラス板とにより構成されている。そして、ドア７とガラスパネルＧとが隣接する場合は、ガラスパネルＧの枠体の表面と、戸先枠５における前側膨出部５１及び後側膨出部５３の膨出側端面とが面一になるように構成される。なお、ガラスパネルＧにおいて、枠体よりガラス板の表面が前後方向に大きく突出する場合は、ガラス板の表面と前側膨出部５１及び後側膨出部５３の膨出側端面とが面一になるよう構成することも可能である。
【００３５】
図１に示す如く、ドア７はヒンジ８ａ・８ｂを介して、戸尻枠４及び上枠６に回動可能に組付けられている。具体的には、ドア７の戸尻側上端部がヒンジ８ａによって上枠６の右側端部に連結されている。また、ドア７の戸尻側下端部がヒンジ８ｂによって戸尻枠４の下端部に連結されている。このように、ドア７は戸尻枠４の側に回動中心が配置され、戸尻枠４と戸先枠５との間で開閉可能とされる。そして、図１に示す閉塞状態からドア７を前方に回動させることにより、戸尻枠４、戸先枠５、及び、上枠６で囲まれた空間が開放される。
【００３６】
図１に示す如く、ドア７を構成するドア本体は、戸先側枠材７１、戸尻側枠材７２、上側枠材７３、及び、下側枠材７４を備える。そして、ドア本体はこれらの四本の枠材に、矩形の面材である板ガラス７５が外周辺を保持されて構成されている。ドア７の戸先側における上下方向中央部のやや下側には、ドア７を開閉する際に用いるドアノブ７６が設けられている。
【００３７】
ドア７は、ドア本体の下端部にドアボトム７７を備える。ドアボトム７７は、ドア本体における下側枠材７４の下端部に下側枠材７４の長手方向に沿って設けられることにより、下側枠材７４の下端部と床面Ｆとの隙間を塞ぐシール部材である。ドアボトム７７は、下部に樹脂製の摺接部材７７ａが設けられる。摺接部材７７ａが床面Ｆと常に摺接することにより、ドア７の下方における音漏れ及び光漏れが防止される。なお、ドアボトム７７を、ドア７の開放時は床面Ｆから離間させるとともに、ドア７を閉めると自動的に下方に変位してドア７と床面Ｆとの隙間を塞ぐ構成とすることも可能である。
【００３８】
戸先側枠材７１及び戸尻側枠材７２は、板ガラス７５の長手方向に沿って設けられる第一の組を構成する二本の長枠材である。また、上側枠材７３及び下側枠材７４は、板ガラス７５の短手方向に沿って設けられる第二の組を構成する二本の短枠材である。即ち、ドア本体は、二組の互いに対向する枠材（戸先側枠材７１と戸尻側枠材７２、及び、上側枠材７３と下側枠材７４）を備えているのである。
【００３９】
なお、本実施形態に係るドア７では、面材として板ガラス７５を用いたガラスドアとして構成されているが、木製合板、アクリル板等、面材として他の素材を適用することも可能である。また、面材である板ガラス７５の保持方法として、戸先側枠材７１及び戸尻側枠材７２の長枠材のみで保持する構成や、上側枠材７３及び下側枠材７４の短枠材のみで保持する構成を採用することも可能である。
【００４０】
また、図４及び図５（ｂ）に示す如く、戸先枠５の下端部における所定上下位置より下側には、水平断面視における一部が除去された被除去領域Ｒ１・Ｒ２が形成されている。詳細には、図５（ａ）中の斜線部分に示す如く、水平断面視において前側膨出部５１が形成された部分が除去されることにより前側被除去領域Ｒ１が形成される。また、水平断面視において、後側膨出部５３が形成された部分のうち戸当り部５２の構成部分以外が除去されることにより後側被除去領域Ｒ２が形成される。本実施形態において、前側被除去領域Ｒ１と後側被除去領域Ｒ２とは同じ上下位置となるように形成される。即ち、前側膨出部５１の下端部と後側膨出部５３の下端部とは同じ高さになるように形成される。
【００４１】
また、図５（ａ）及び（ｂ）に示す如く、被除去領域Ｒ１・Ｒ２と同じ上下位置において、前後方向中央部の中空形状は残存している。即ち、本実施形態に係るドア構造によれば、被除去領域Ｒ１・Ｒ２を形成しても、残存する中空形状を構成する壁により床との隙間を塞ぐように構成されている。
【００４２】
そして、図２に示す如く、後側被除去領域Ｒ２における戸当り部５２の一部は、ドア７の閉塞時において正面視でドアボトム７７の端部と重なり合う。このため、ドアボトム７７と戸先枠５との間に隙間が生じることを防ぐことが可能となり、音漏れや光漏れを防止することができる。
【００４３】
具体的に、図６及び図７に示す比較例に係るドア構造を用いて、戸先枠２０５の下端部における所定上下位置より下側において、枠本体部２５０から膨出する前側膨出部２５１及び後側膨出部２５３と同じように、戸当り部２５２の構成部分も除去した場合について説明する。所定上下位置より下側で戸当り部２５２を除去した場合、図７に示す如く、ドア７の閉塞時において正面視でドアボトム７７の端部と戸先枠２０５との間に隙間Ｓが生じる。このように、本比較例に係るドア構造によれば、ドアボトム７７と戸先枠２０５のとの間の隙間Ｓが音漏れや光漏れの原因となる。
【００４４】
一方、本実施形態に係るドア構造によれば、ドア本体の周囲における戸先枠５（戸尻枠４についても同様）における下端部の形状を調整した場合でも、図２に示す如く隙間が生じないため、音漏れや光漏れを防止することが可能となるのである。
【００４５】
また、本実施形態において、戸先枠５は、前側被除去領域Ｒ１において前側膨出部５１が除去され、後側被除去領域Ｒ２において後側膨出部５３が除去されている。このように、本実施形態の如く戸先枠５の前側・後側膨出部５１・５３における下端部の形状を調整した場合でも、音漏れや光漏れを防止する構成としている。
【００４６】
また、図１及び図２に示す如く、本実施形態に係るドア構造において、ドア本体の下端部（下側枠材７４の下端部）の上下位置は、被除去領域Ｒ１・Ｒ２が形成される所定上下位置（前側膨出部５１及び後側膨出部５３の下端部）と一致する。これにより、戸先枠５の前側膨出部５１及び後側膨出部５３とドア本体との下端部の高さを統一することができるため、ドア構造の意匠性を向上させることが可能となる。
【００４７】
また、図１に示す如く、本実施形態に係るドア構造において、コーナーポスト３のカバーの下端部の上下位置は所定上下位置と一致する。また、第一パネルＰ１、第二パネルＰ２、及び、ガラスパネルＧの下端部の上下位置も、所定上下位置と一致する。このように、コーナーポスト３のカバー及びパネル部材と、ドア本体と、の下端部の高さを統一することにより、ドア構造の意匠性をさらに向上させることができる。
【００４８】
また、図１に示す如く、ドア７の下側枠材７４の少なくとも外側の見付寸法と、ガラスパネルＧの下枠材の見付寸法とを一致させている。これにより、ドア構造の意匠性をさらに向上させることができる。また、上述の如くドア７に隣接するようにガラスパネルＧを設けた場合、ドア７の下側枠材７４の見付寸法と、ガラスパネルＧの下枠材の見付寸法とが一致することにより、より意匠性を際立たせることが可能となる。
【００４９】
なお、本実施形態において、戸先枠５を前後方向に三分割された中空形状として形成したが、他の構成とすることも可能である。例えば、戸先枠５を、複数の中空又は中実の角材を溶接した態様や、角材に変えてＣ字型やコ字型の材を組み合わせた態様とすることもできる。つまり、ドア構造においては、部屋内、部屋外、又は、部屋の内外両方に２重の壁を構成すれば良いため、戸先枠５において残存する中空部は必ずしも全ての面が閉塞された中空形状である必要はない。
【００５０】
［第二実施形態］
次に、図８及び図９を用いて、本発明の第二実施形態に係るドア構造について説明する。本実施形態に係るドア構造には、開き戸であるドア１０７が設けられる。本実施形態に係るドア構造は、ドア１０７を前方（図８における紙面手前側）に回動させることにより開放可能に構成されている。
【００５１】
図８に示す如く、ドア構造は床面Ｆと天井Ｃとの間に設けられ、地レール１、天レール２、コーナーポスト３、戸尻枠１０４、戸先枠１０５、中枠１０６、ドア１０７、欄間パネル１０９等を備える。以下、各構成要素について順に説明する。
【００５２】
本実施形態に係るドア構造において、戸尻枠１０４、戸先枠１０５、中枠１０６、ドア１０７、及び、欄間パネル１０９は、床面Ｆに固定した地レール１と、天井Ｃに固定した天レール２と、の間に立設したコーナーポスト３及び第二パネルＰ２との間に設けられる。本実施形態において、ドア１０７及び欄間パネル１０９にはコーナーポスト３を介して第一パネルＰ１が連結される。また、第二パネルＰ２の隣にはガラスパネルＧが設けられる。
【００５３】
図８に示す如く、コーナーポスト３の左側面には戸尻枠１０４が固定される。また、第二パネルＰ２の右側面には戸先枠１０５が固定される。即ち、戸尻枠１０４及び戸先枠１０５は床面Ｆと天井Ｃとの間に所定間隔で立設されている。戸尻枠１０４及び戸先枠１０５は、本発明に係る枠体の一実施形態であり、その形状等は前記第一実施形態における戸尻枠４及び戸先枠５と同様に構成されている。
【００５４】
戸尻枠１０４及び戸先枠１０５の中途部における上側には、互いを連結する中枠１０６が固定されている。図８に示す如く、戸尻枠１０４及び戸先枠１０５の間において、中枠１０６の上側に欄間パネル１０９が設けられ、中枠１０６の下側にドア１０７が設けられる。なお、戸尻枠１０４と戸先枠１０５とは左右対称形状であり、その構成が共通している。このため、本明細書においては戸先枠１０５のみについて詳細に説明し、戸尻枠１０４については詳細な説明を省略する。
【００５５】
図８に示す如く、ドア１０７の隣には第二パネルＰ２が設けられる。具体的には戸先枠１０５にドア１０７と隣接してパネル部材である第二パネルＰ２が固定される。戸先枠１０５には、前後方向中央部に矩形状に形成された枠本体部１５０と、枠本体部１５０から前方に膨出する前側膨出部１５１と、枠本体部１５０から後方に膨出する後側膨出部１５３と、が形成される。換言すれば、戸先枠１０５の前面には、ドア１０７の閉塞時における表面の直交する方向に前側膨出部１５１が、戸先枠１０５の長手方向に沿って形成されている。また、戸先枠１０５の後面には後側膨出部１５３が、戸先枠１０５の長手方向に沿って形成されている。また、戸先枠１０５の後部には、ドア１０７の閉塞時において正面視（図８に示す方向視）でドア１０７の側端部と部分的に重なり合う戸当り部１５２がドア１０７の側（右側方）に延出して形成されている。
【００５６】
本実施形態においても、戸先枠１０５は前後方向に三分割され、前後方向中央部の中空形状が枠本体部１５０として、前側の中空形状が前側膨出部１５１として、後側の中空形状が後側膨出部１５３として形成されている。そして、前側膨出部１５１及び後側膨出部１５３は、それぞれの前面及び後面（膨出側端面）が隣接するパネル部材の表面と面一になるように、枠本体部１５０から膨出して形成されている。
【００５７】
図８に示す如く、欄間パネル１０９は、戸先側枠材１９１、戸尻側枠材１９２、上側枠材１９３、及び、下側枠材１９４を備える。そして、欄間パネル１０９はこれらの四本の枠材に、矩形の面材である板ガラス１９５が外周辺を保持されて構成されている。
【００５８】
図８に示す如く、ドア１０７はヒンジ１０８ａ・１０８ｂを介して、戸尻枠１０４及び中枠１０６に回動可能に組付けられている。具体的には、ドア１０７の戸尻側上端部がヒンジ１０８ａによって中枠１０６の右側端部に連結されている。また、ドア１０７の戸尻側下端部がヒンジ１０８ｂによって戸尻枠１０４の下端部に連結されている。このように、ドア１０７は戸尻枠１０４の側に回動中心が配置され、戸尻枠１０４と戸先枠１０５との間で開閉可能とされる。そして、図８に示す閉塞状態からドア１０７を前方に回動させることにより、戸尻枠１０４、戸先枠１０５、及び、中枠１０６で囲まれた空間が開放される。
【００５９】
図８に示す如く、ドア１０７を構成するドア本体は、戸先側枠材１７１、戸尻側枠材１７２、上側枠材１７３、及び、下側枠材１７４を備える。そして、ドア本体はこれらの四本の枠材に、矩形の面材である板ガラス１７５が外周辺を保持されて構成されている。ドア１０７の戸先側における上下方向中央部のやや下側には、ドア１０７を開閉する際に用いるドアノブ１７６が設けられている。
【００６０】
ドア１０７は、ドア本体の下端部にドアボトム１７７を備える。ドアボトム１７７は、ドア本体における下側枠材１７４の下端部に下側枠材１７４の長手方向に沿って設けられることにより、下側枠材１７４の下端部と床面Ｆとの隙間を塞ぐシール部材である。ドアボトム１７７は、下部に樹脂製の摺接部材１７７ａが設けられる。摺接部材１７７ａが床面Ｆと常に摺接することにより、ドア１０７の下方における音漏れ及び光漏れが防止される。
【００６１】
本実施形態においても第一実施形態と同様に、戸先枠１０５の下端部における所定上下位置より下側には、水平断面視における一部が除去された被除去領域が形成されている。そして、図９に示す如く、被除去領域における戸当り部１５２の一部は、ドア１０７の閉塞時において正面視でドアボトム１７７の端部と重なり合う。このため、ドアボトム１７７と戸先枠１０５との間に隙間が生じることを防ぐことが可能となり、音漏れや光漏れを防止することができる。本実施形態においても、ドア本体の周囲における戸先枠１０５（戸尻枠１０４についても同様）における下端部の形状を調整した場合に、図９に示す如く隙間が生じないため、音漏れや光漏れを防止することが可能となるのである。
【符号の説明】
【００６２】
１        地レール                 ２        天レール       
３        コーナーポスト（ポスト部材）
４        戸尻枠（枠体）           ５        戸先枠（枠体） 
６        上枠                     ７        ドア           
８ａ      ヒンジ                   ８ｂ      ヒンジ         
９        支柱                     ９ａ      係止部材       
５０        枠本体部               ５１        前側膨出部     
５２        戸当り部               ５３        後側膨出部     
７１        戸先側枠材             ７２        戸尻側枠材     
７３        上側枠材               ７４        下側枠材       
７５        板ガラス（面材）
７６        ドアノブ               ７７        ドアボトム（シール部材）
７７ａ      摺接部材             １０４        戸尻枠（枠体） 
１０５        戸先枠（枠体）       １０６        中枠           
１０７        ドア                 １０８ａ      ヒンジ         
１０８ｂ      ヒンジ               １０９        欄間パネル     
１５０        枠本体部             １５１        前側膨出部     
１５２        戸当り部             １７１        戸先側枠材     
１７２        戸尻側枠材           １７３        上側枠材       
１７４        下側枠材             １７５        板ガラス（面材）
１７６        ドアノブ             １７７        ドアボトム（シール部材）
１７７ａ      摺接部材             １９１        戸先側枠材     
１９２        戸尻側枠材           １９３        上側枠材       
１９４        下側枠材             １９５        板ガラス（面材）
２０５        戸先枠（枠体）       ２５０        枠本体部       
２５１        前側膨出部           ２５２        戸当り部       
Ｃ        天井                     Ｆ        床面           
Ｐ１      第一パネル               Ｐ２      第二パネル（パネル部材）
Ｐａ      被係止部                 Ｇ        ガラスパネル   
Ｓ        隙間                     Ｒ１      前側被除去領域 
Ｒ２      後側被除去領域 
【図１】
2020200710.tif 000003
【図２】
2020200710.tif 000004
【図３】
2020200710.tif 000005
【図４】
2020200710.tif 000006
【図５】
2020200710.tif 000007
【図６】
2020200710.tif 000008
【図７】
2020200710.tif 000009
【図８】
2020200710.tif 000010
【図９】
2020200710.tif 000011